(57)【要約】【課題】漏水検知排水管を短く形成して建設コストを軽減するとともに、漏水検知排水管からの修復材の圧力注入を容易にして、修復材の閉塞や注入圧力の増大による遮水シートの破損を防止することができる廃棄物処分場及びその漏水検知修復システムを提供すること。【解決手段】底盤１とこれに連なる側面２とに遮水工が施され、かつ上面が開放された処分場を備えるとともに、底盤１の二重遮水シート３を袋状に区画割し、各区画４ごとに各々漏水検知排水管５を接続した廃棄物処分場において、各漏水検知排水管５を漏水検知本管６に接続し、該漏水検知本管６を処分場最下流部に設けた漏水検知ピット７に接続するとともに、漏水検知排水管５の漏水検知本管６との接続部付近に区画ごとの漏水を点検する漏水検知マンホール８を設ける。【選択図】  図１
2005028236.tif 000002
【特許請求の範囲】
【請求項１】
底盤とこれに連なる側面とに遮水工が施され、かつ上面が開放された処分場を備えるとともに、底盤の二重遮水シートを袋状に区画割し、各区画ごとに各々漏水検知排水管を接続した廃棄物処分場において、各漏水検知排水管を漏水検知本管に接続し、該漏水検知本管を処分場下流部に設けた漏水検知ピットに接続するとともに、漏水検知排水管の漏水検知本管との接続部付近に区画ごとの漏水を点検する点検部を設けたことを特徴とする廃棄物処分場。
【請求項２】
底盤の二重遮水シートの上下のシート間に、厚さ３０ｃｍ程度の土砂層を設けるとともに、土砂層と上側遮水シートの間に面状排水材を敷設し、該面状排水材に漏水検知排水管を接続したことを特徴とする請求項１記載の廃棄物処分場。
【請求項３】
底盤とこれに連なる側面とに遮水工が施され、かつ上面が開放された処分場を備えるとともに、底盤の二重遮水シートを袋状に区画割し、各区画ごとに各々漏水検知排水管を接続した廃棄物処分場において、各漏水検知排水管を漏水検知本管に接続し、該漏水検知本管を処分場下流部に設けた漏水検知ピットに接続するとともに、漏水検知排水管の漏水検知本管との接続部付近に区画ごとの漏水を点検する点検部を設け、点検部の漏水の有無により漏水区画を特定するとともに、点検部に接続している漏水検知排水管に修復材を圧力注入することにより遮水シートの破損部を修復することを特徴とする廃棄物処分場の漏水検知修復システム。
【請求項４】
底盤の二重遮水シートの上下のシート間に、厚さ３０ｃｍ程度の土砂層を設けるとともに、土砂層と上側遮水シートの間に面状排水材を敷設し、該面状排水材に漏水検知排水管を接続したことを特徴とする請求項３記載の廃棄物処分場の漏水検知修復システム。
【発明の詳細な説明】
【０００１】
【発明の属する技術分野】
本発明は、廃棄物処分場及びその漏水検知修復システムに関し、特に、漏水検知排水管を短く形成して建設コストを軽減するとともに、漏水検知排水管からの修復材の圧力注入を容易にして、修復材の閉塞や注入圧力の増大による遮水シートの破損を防止することができる廃棄物処分場及びその漏水検知修復システムに関するものである。
【０００２】
【従来の技術】
従来の廃棄物処分場で、底盤や側面に二重遮水シートなどの表面遮水を施した場合の漏水検知修復システムの一つとして、「二重遮水・区画排水法」がある。
この二重遮水・区画排水法は、二重遮水シートを用いて区画ごとに漏水を排水するもので、二重遮水シートを袋状に区画割するとともに、区画ごとに各々漏水検知排水管を接続し、各漏水検知排水管はそれぞれ独立して、処分場最下流部に設けた漏水検知ピットへ個別に導水させる。
そして、この二重遮水・区画排水法は、この漏水検知ピットに導水した漏水検知排水管からの漏水の有無により、区画単位で漏水を検知し、遮水シートの破損を区画単位で検知する。
また、シート破損部の修復は、ピット内の漏水があった漏水検知排水管の下流端から修復材を圧力注入することにより、破損箇所をふさぐようにしている。
【０００３】
【発明が解決しようとする課題】
しかしながら、上記従来の漏水検知修復システムは、処分場そのものが広大である場合には区画の数が増えることから、漏水検知排水管やエアー抜管の本数が増えるとともに、それらの全長が長くなり建設コストが高くなるという問題があった。
また、漏水検知排水管の全長が長いと、下流端からの修復材の圧力注入に時間がかかり、作業能率低下の要因となるとともに、修復材が漏水検知排水管内や二重シート間の面状排水材内で閉塞する可能性が大きくなり、また、注入圧力を大きくした場合には遮水シートの接合部が破損するおそれがあるという問題を有している。
【０００４】
本発明は、上記従来の漏水検知修復システムが有する問題点に鑑み、漏水検知排水管を短く形成して建設コストを軽減するとともに、漏水検知排水管からの修復材の圧力注入を容易にして、修復材の閉塞や注入圧力の増大による遮水シートの破損を防止することができる廃棄物処分場及びその漏水検知修復システムを提供することを目的とする。
【０００５】
【課題を解決するための手段】
上記目的を達成するため、本発明の廃棄物処分場は、底盤とこれに連なる側面とに遮水工が施され、かつ上面が開放された処分場を備えるとともに、底盤の二重遮水シートを袋状に区画割し、各区画ごとに各々漏水検知排水管を接続した廃棄物処分場において、各漏水検知排水管を漏水検知本管に接続し、該漏水検知本管を処分場下流部に設けた漏水検知ピットに接続するとともに、漏水検知排水管の漏水検知本管との接続部付近に区画ごとの漏水を点検する点検部を設けたことを特徴とする。
【０００６】
この廃棄物処分場は、各漏水検知排水管を漏水検知本管に接続し、該漏水検知本管を処分場下流部に設けた漏水検知ピットに接続するとともに、漏水検知排水管の漏水検知本管との接続部付近に区画ごとの漏水を点検する点検部を設けることから、点検部の漏水の有無により漏水区画を特定するとともに、点検部に接続している漏水検知排水管に修復材を圧力注入することにより遮水シートの破損部を確実に修復することができ、これにより、漏水検知排水管を短く形成して建設コストを軽減するとともに、漏水検知排水管からの修復材の圧力注入を容易にして、修復材の閉塞や注入圧力の増大による遮水シートの破損を防止することができる。
【０００７】
この場合において、底盤の二重遮水シートの上下のシート間に、厚さ３０ｃｍ程度の土砂層を設けるとともに、土砂層と上側遮水シートの間に面状排水材を敷設し、該面状排水材に漏水検知排水管を接続することができる。
【０００８】
これにより、底盤部の二重遮水シートが同時に破損するリスクを軽減するとともに、遮水シート破損時の漏水の集水効果を向上させ、かつ漏水検知排水管から注入する修復材を破損部まで確実に到達させることができる。
【０００９】
また、本発明の廃棄物処分場の漏水検知修復システムは、底盤とこれに連なる側面とに遮水工が施され、かつ上面が開放された処分場を備えるとともに、底盤の二重遮水シートを袋状に区画割し、各区画ごとに各々漏水検知排水管を接続した廃棄物処分場において、各漏水検知排水管を漏水検知本管に接続し、該漏水検知本管を処分場下流部に設けた漏水検知ピットに接続するとともに、漏水検知排水管の漏水検知本管との接続部付近に区画ごとの漏水を点検する点検部を設け、点検部の漏水の有無により漏水区画を特定するとともに、点検部に接続している漏水検知排水管に修復材を圧力注入することにより遮水シートの破損部を修復することを特徴とする。
【００１０】
この廃棄物処分場の漏水検知修復システムは、各漏水検知排水管を漏水検知本管に接続し、該漏水検知本管を処分場下流部に設けた漏水検知ピットに接続するとともに、漏水検知排水管の漏水検知本管との接続部付近に区画ごとの漏水を点検する点検部を設け、点検部の漏水の有無により漏水区画を特定するとともに、点検部に接続している漏水検知排水管に修復材を圧力注入することにより遮水シートの破損部を修復することから、漏水検知排水管を短く形成して建設コストを軽減するとともに、漏水検知排水管からの修復材の圧力注入を容易にして、修復材の閉塞や注入圧力の増大による遮水シートの破損を防止することができる。
【００１１】
この場合において、底盤の二重遮水シートの上下のシート間に、厚さ３０ｃｍ程度の土砂層を設けるとともに、土砂層と上側遮水シートの間に面状排水材を敷設し、該面状排水材に漏水検知排水管を接続することができる。
【００１２】
これにより、底盤部の二重遮水シートが同時に破損するリスクを軽減するとともに、遮水シート破損時の漏水の集水効果を向上させ、かつ漏水検知排水管から注入する修復材を破損部まで確実に到達させることができる。
【００１３】
【発明の実施の形態】
以下、本発明の廃棄物処分場及びその漏水検知修復システムの実施の形態を図面に基づいて説明する。
【００１４】
図１〜図２に、本発明の廃棄物処分場及びその漏水検知修復システムの一実施例を示す。
この廃棄物処分場の漏水検知修復システムは、底盤１とこれに連なる側面２とに遮水工が施され、かつ上面が開放された処分場を備えるとともに、底盤１の二重遮水シート３を袋状に区画割し、各区画４ごとに各々漏水検知排水管５を接続している。
そして、この廃棄物処分場の漏水検知修復システムは、各漏水検知排水管５を１本の漏水検知本管６に接続し、処分場最下流部に設けた漏水検知ピット７に導水させ、ピット７内の検知機（図示省略）もしくは目視により、処分場全体の漏水の有無を確認するようにしている。
一方、漏水検知排水管５の漏水検知本管６との接続部には、区画４ごとの漏水を点検する漏水点検マンホール８を点検部として設け、漏水検知排水管５からの漏水の有無を目視で確認し、漏水検知区画４ごとに漏水の有無を判断するようにしている。
【００１５】
二重遮水シート３で囲まれる区画４内には、厚さ３０ｃｍ程度の土砂層を設け、上下の遮水シート３が同時に破損するリスクを軽減するとともに、土砂層の上部には、面状排水材９を全面に敷設して漏水検知排水管５と接続している。
【００１６】
底盤１の二重遮水シート３が破損した場合、遮水シート破損部１０の漏水は、面状排水材９内を速やかに流下し、漏水検知排水管５から漏水点検マンホール８、漏水検知本管６を経由して漏水検知ピット７へ排水される。
この場合、ピット７内の漏水の有無を確認してから、各漏水点検マンホール８内の漏水検知排水管５からの漏水の有無を確認することにより、漏水区画を特定することができる。
【００１７】
また、遮水シート破損部１０の修復は、漏水点検マンホール８に接続している漏水検知排水管５へ修復材を圧力注入して行う。修復材は漏水検知排水管５を経由して面状排水材９内を拡散し破損部１０まで到達し、破損部で固結することにより漏水を防止する。
【００１８】
面状排水材９は、二重遮水シート破損時の漏水の集水効果を向上させるとともに、漏水検知排水管５から注入する修復材（図示省略）を破損部１０まで確実に到達させることができる。
また、修復材がスムースに注入できるように、面状排水材９には空気抜き１１を設けるようにしている。
なお、破損部１０の修復後は、漏水検知排水管５からの漏水の有無により、修復完了を確認する。
【００１９】
この場合、漏水は面状排水材９から漏水検知排水管５を経由して漏水点検マンホール８に流入するが、これは自然流下によるため、処分場底盤１には勾配を付け、面状排水材９と漏水検知排水管５の接続位置は各区画４の最もレベルが低い場所とする。
漏水点検マンホール８は、面状排水材９と漏水検知排水管５の接続位置付近で、区画内もしくはその付近に設置する。
【００２０】
なお、図１（ａ）において、１２は底部区画壁、１３はコンクリートスラブ、１４は浸出水集排水管を示している。
また、本実施例では、散水設備や屋根構造物の換気設備、照明設備、その他の周辺設備などを図示省略しているが、これらの設備も処分場の内外に配置されている。
【００２１】
かくして、本実施例の廃棄物処分場及びその漏水検知修復システムは、底盤１とこれに連なる側面２とに遮水工が施され、かつ上面が開放された処分場を備えるとともに、底盤１の二重遮水シート３を袋状に区画割し、各区画４ごとに各々漏水検知排水管５を接続した廃棄物処分場において、各漏水検知排水管５を漏水検知本管６に接続し、該漏水検知本管６を処分場最下流部に設けた漏水検知ピット７に接続するとともに、漏水検知排水管５の漏水検知本管６との接続部付近に区画ごとの漏水を点検する漏水検知マンホール８を設け、該漏水検知マンホール８の漏水の有無により漏水区画４を特定するとともに、漏水検知マンホール８に接続している漏水検知排水管５に修復材を圧力注入することにより遮水シート３の破損部１０を修復することから、漏水検知排水管５を短く形成して建設コストを軽減するとともに、漏水検知排水管５からの修復材の圧力注入を容易にして、修復材の閉塞や注入圧力の増大による遮水シートの破損を防止することができる。
また、底盤１の二重遮水シート３の上下のシート間に、厚さ３０ｃｍ程度の土砂層を設けるとともに、土砂層と上側遮水シート３の間に面状排水材９を敷設し、該面状排水材９に漏水検知排水管５を接続することにより、底盤部の二重遮水シート３が同時に破損するリスクを軽減するとともに、遮水シート破損時の漏水の集水効果を向上させ、かつ漏水検知排水管５から注入する修復材を破損部１０まで確実に到達させることができる。
【００２２】
以上、本発明の実施例を説明したが、本発明の廃棄物処分場及びその漏水検知修復システムは、この実施例の記載に限定されるものではなく、その趣旨を逸脱しない範囲において適宜に変更することが可能である。
【００２３】
【発明の効果】
本発明の廃棄物処分場によれば、各漏水検知排水管を漏水検知本管に接続し、該漏水検知本管を処分場下流部に設けた漏水検知ピットに接続するとともに、漏水検知排水管の漏水検知本管との接続部付近に区画ごとの漏水を点検する点検部を設けることから、点検部の漏水の有無により漏水区画を特定するとともに、点検部に接続している漏水検知排水管に修復材を圧力注入することにより遮水シートの破損部を確実に修復することができ、これにより、漏水検知排水管を短く形成して建設コストを軽減するとともに、漏水検知排水管からの修復材の圧力注入を容易にして、修復材の閉塞や注入圧力の増大による遮水シートの破損を防止することができる。
【００２４】
この場合、底盤の二重遮水シートの上下のシート間に、厚さ３０ｃｍ程度の土砂層を設けるとともに、土砂層と上側遮水シートの間に面状排水材を敷設し、該面状排水材に漏水検知排水管を接続することにより、底盤部の二重遮水シートが同時に破損するリスクを軽減するとともに、遮水シート破損時の漏水の集水効果を向上させ、かつ漏水検知排水管から注入する修復材を破損部まで確実に到達させることができる。
【００２５】
また、本発明の廃棄物処分場の漏水検知修復システムによれば、各漏水検知排水管を漏水検知本管に接続し、該漏水検知本管を処分場下流部に設けた漏水検知ピットに接続するとともに、漏水検知排水管の漏水検知本管との接続部付近に区画ごとの漏水を点検する点検部を設け、点検部の漏水の有無により漏水区画を特定するとともに、点検部に接続している漏水検知排水管に修復材を圧力注入することにより遮水シートの破損部を修復することから、漏水検知排水管を短く形成して建設コストを軽減するとともに、漏水検知排水管からの修復材の圧力注入を容易にして、修復材の閉塞や注入圧力の増大による遮水シートの破損を防止することができる。
【００２６】
この場合、底盤の二重遮水シートの上下のシート間に、厚さ３０ｃｍ程度の土砂層を設けるとともに、土砂層と上側遮水シートの間に面状排水材を敷設し、該面状排水材に漏水検知排水管を接続することにより、底盤部の二重遮水シートが同時に破損するリスクを軽減するとともに、遮水シート破損時の漏水の集水効果を向上させ、かつ漏水検知排水管から注入する修復材を破損部まで確実に到達させることができる。
【図面の簡単な説明】
【図１】本発明の廃棄物処分場及びその漏水検知修復システムの一実施例を示し、（ａ）は長手方向直交断面図、（ｂ）は長手方向拡大断面図である。である。
【図２】同実施例の廃棄物処分場及びその漏水検知修復システムを示し、（ａ）はその平面図、（ｂ）は（ａ）のＡ−Ａ線断面図である。
である。
【符号の説明】
１    底盤
２    側面
３    二重遮水シート
４    漏水検知区画
５    漏水検知排水管
６    漏水検知本管
７    漏水検知ピット
８    漏水検知マンホール
９    面状排水材
１０  遮水シート破損部
１１  空気抜き
１２  底部区画壁
１３  コンクリートスラブ
１４  浸出水集排水管
【図１】
2005028236.tif 000003
【図２】
2005028236.tif 000004